(57)【要約】【課題】有効且つ確実に鼻を清浄した後の汚水を回収でき、また、噴き洗い時の不適感を低減できる噴霧鼻洗い器の装置を提供する。【解決手段】本噴霧鼻洗い器は、主として、鼻洗い液を貯蔵する開口が形成された液貯蔵空間があるメイン容器と、該メイン容器の液貯蔵空間の開口の上方に設置され、該液貯蔵空間内の鼻洗い液を吸い上げて霧化しれから外へ噴出する霧化噴き洗い装置と、上側に開口が形成され、該メイン容器の付近に設けられ、外周縁に少なくとも一つの立体凹み部が設けられ、全面的にユーザ−の上顎部位にピッタリ貼り付き、上側に位置する開口が確実に鼻穴の下方全体に対応する液回収容器とが備えられるため、緊密にユーザ−の鼻と口との間の上顎部位に抵当できる。【選択図】図２
0003139247.tif 000002
【実用新案登録請求の範囲】
【請求項１】
少なくとも、鼻洗い液を貯蔵する開口が形成された液貯蔵空間があるメイン容器と、
該メイン容器の液貯蔵空間の開口の上方に設置され、該液貯蔵空間内の鼻洗い液を吸い上げて霧化してから外へ噴出する霧化噴き洗い装置と、
上側に開口が形成され、該メイン容器の付近に設けられ、外周縁に少なくとも一つの立体凹み部が設けられ、全面的にユーザ−の上顎部位にピッタリ貼り付き、上側に位置する開口が確実に鼻穴の下方全体に対応する液回収容器とが含有されることを特徴とする、噴霧鼻洗い器の装置。
【請求項２】
該液回収容器の立体凹み部は、人間工学形状で、顔部の上顎部位に合わせることを特徴とする、請求項１に記載の噴霧鼻洗い器の装置。
【請求項３】
該液回収容器は、メイン容器と一体成型であることを特徴とする、請求項１か２に記載の噴霧鼻洗い器の装置。
【請求項４】
該液回収容器は、メイン容器の付近に付けられることを特徴とする、請求項１か２に記載の噴霧鼻洗い器の装置。
【請求項５】
該霧化噴き洗い装置は、互いに連通する排気管と噴霧ヘッドがあり、該噴霧ヘッドの付近に、液貯蔵空間内の鼻洗い液の中まで伸ばす液体吸引管が連通されることを特徴とする、請求項１か２に記載の噴霧鼻洗い器の装置。
【請求項６】
該噴霧ヘッドは、霧化噴き洗い装置上において、上へ斜めに起立する形態であることを特徴とする、請求項５に記載の噴霧鼻洗い器の装置。
【請求項７】
該排気管と噴霧ヘッド及び液体吸引管が、噴霧上座に結合され、該噴霧上座がメイン容器の液貯蔵空間の開口上に嵌設されることを特徴とする、請求項５に記載の噴霧鼻洗い器の装置。
【請求項８】
該噴霧ヘッドは、噴霧上座の基準面に沿って上へ斜めに起立することを特徴とする、請求項７に記載の噴霧鼻洗い器の装置。
【請求項９】
該排気管は、噴霧ヘッドカバーが連通され、該噴霧ヘッドの局部が該噴霧ヘッドカバー内まで延ばして結合され、また、該液体吸引管が該噴霧ヘッドカバーと連通することを特徴とする、請求項５に記載の噴霧鼻洗い器の装置。
【請求項１０】
該排気管は、噴霧ヘッドカバーが連通され、該噴霧ヘッドの局部が該噴霧ヘッドカバー内まで延ばして結合され、また、該液体吸引管が該噴霧ヘッドカバーと連通することを特徴とする、請求項６に記載の噴霧鼻洗い器の装置。
【請求項１１】
該霧化噴き洗い装置は、外への排気量を調整できる減圧調節弁が設けられることを特徴とする、請求項１か２に記載の噴霧鼻洗い器の装置。
【請求項１２】
該排気管と噴霧ヘッドとの間に、更に、外への排気量を調整できる減圧調節弁が設けられることを特徴とする、請求項５に記載の噴霧鼻洗い器の装置。
【請求項１３】
該排気管と噴霧ヘッドとの間に、更に外への排気量を調整できる減圧調節弁が設けられることを特徴とする、請求項６に記載の噴霧鼻洗い器の装置。
【請求項１４】
該排気管と噴霧ヘッドとの間に、更に外への排気量を調整できる減圧調節弁が設けられることを特徴とする、請求項７に記載の噴霧鼻洗い器の装置。
【請求項１５】
該排気管と噴霧ヘッドとの間に、更に外への排気量を調整できる減圧調節弁が設けられることを特徴とする、請求項８に記載の噴霧鼻洗い器の装置。
【請求項１６】
該排気管と噴霧ヘッドとの間に、更に外への排気量を調整できる減圧調節弁が設けられることを特徴とする、請求項９に記載の噴霧鼻洗い器の装置。
【請求項１７】
該排気管と噴霧ヘッドとの間に、更に外への排気量を調整できる減圧調節弁が設けられることを特徴とする、請求項１０に記載の噴霧鼻洗い器の装置。
【考案の詳細な説明】
【技術分野】
【０００１】
本考案は、噴霧鼻洗い器の装置に関し、特に、有効に鼻を洗った廃水を回収でき、衛生的に使用できる装置に関する。
【背景技術】
【０００２】
図１は、従来の噴霧鼻洗い器構造であり、主として、メイン容器１０と霧化噴き洗い装置２０及び外容器４からなり、該メイン容器１０は、内部に鼻洗い液（薬液や清水）が貯蔵され、霧化噴き洗い装置２は該メイン容器１０の上側に設置され、電動や手動である空気噴出弁ポンプからなり、該メイン容器１０の内部にある鼻洗い液を吸い上げて霧化し、斜めになる噴霧上座２１から外へ噴出し、その霧化機能は物理学のベルヌーイ法則で（エアーの流速が速ければ圧力が小さくなることによるものである）、また、吸気と空気噴射の原理に合わせて、鼻腔内に対して噴霧清浄し（例えば、霧化して噴射された生理食塩液は、極めて微細の水分子粒になる）、鼻腔の内部に深く侵入して清潔する効果が得られる。外容器４は、該メイン容器１０の周縁に嵌設され、その上側に上スペーサー４１が設けられ、また、該上スペーサー４１上に均一に廃棄液浸透孔４２が分布され、使用する時、該外容器４の周縁をユーザ−の口の上方に貼り付け、該霧化噴き洗い装置２０で、霧化された鼻洗い液を噴霧上座２１からユーザ−の鼻腔内へ噴射し、また、該鼻腔を清浄した後の汚水が鼻穴から下へ流され、廃棄液浸透孔４２により該外容器４に回収される。
【０００３】
しかしながら、上記の構造は実際に適用される時、該外容器４の周縁が立体外突円弧状であり、また、人体の顔部が基本として立体外凸形状であるため、該外容器４と人体の顔部の上顎部位（即ち、鼻穴の下方と口の以上の部位になる）と巧く貼り付くことができなく、また、その抵当する部位が極めて小さいため、鼻穴から下へ流される鼻を洗った廃水を有効的に回収されず、汚水が飛散する。
【考案の開示】
【考案が解決しようとする課題】
【０００４】
本考案の主な目的は、有効に鼻を洗った廃水を回収でき、使用する時、より衛生的になる噴霧鼻洗い器の装置を提供する。
【０００５】
本考案の他の目的は、人間工学の形状や角度の設計により、有効的に使用の便利性と実用性が向上される噴霧鼻洗い器の装置を提供する。
【課題を解決するための手段】
【０００６】
請求項１の考案は、少なくとも、鼻洗い液を貯蔵する開口が形成された液貯蔵空間があるメイン容器と、該メイン容器の液貯蔵空間の開口の上方に設置され、該液貯蔵空間内の鼻洗い液を吸い上げて霧化しれから外へ噴出する霧化噴き洗い装置と、上側に開口が形成され、該メイン容器の付近に設けられ、外周縁に少なくとも一つの立体凹み部が設けられ、全面的にユーザ−の上顎部位にピッタリ貼り付き、上側に位置する開口が確実に鼻穴の下方全体に対応する液回収容器とが含有されることを特徴とする、噴霧鼻洗い器の装置である。
【０００７】
請求項２の考案は、該液回収容器の立体凹み部が人間工学形状で、顔部の上顎部位に合わせることを特徴とする、請求項１に記載の噴霧鼻洗い器の装置である。
【０００８】
請求項３の考案は、該液回収容器がメイン容器と一体成型であることを特徴とする、請求項１か２に記載の噴霧鼻洗い器の装置である。
【０００９】
請求項４の考案は、該液回収容器がメイン容器の付近に付けられることを特徴とする、請求項１か２に記載の噴霧鼻洗い器の装置である。
【００１０】
請求項５の考案は、該霧化噴き洗い装置に、互いに連通する排気管と噴霧ヘッドがあり、該噴霧ヘッドの付近に液貯蔵空間内の鼻洗い液の中まで伸ばす液体吸引管が連通されることを特徴とする、請求項１か２に記載の噴霧鼻洗い器の装置である。
【００１１】
請求項６の考案は、該噴霧ヘッドが、霧化噴き洗い装置上において、上へ斜めに起立する形態であることを特徴とする、請求項５に記載の噴霧鼻洗い器の装置である。
【００１２】
請求項７の考案は、該排気管と噴霧ヘッド及び液体吸引管が噴霧上座に結合され、該噴霧上座がメイン容器の液貯蔵空間の開口上に嵌設されることを特徴とする、請求項５に記載の噴霧鼻洗い器の装置である。
【００１３】
請求項８の考案は、該噴霧ヘッドが、噴霧上座の基準面に沿って上へ斜めに起立することを特徴とする、請求項７に記載の噴霧鼻洗い器の装置である。
【００１４】
請求項９の考案は、該排気管が噴霧ヘッドカバーに連通され、該噴霧ヘッドの局部が該噴霧ヘッドカバー内まで延ばして結合され、また、該液体吸引管が該噴霧ヘッドカバーと連通することを特徴とする、請求項５に記載の噴霧鼻洗い器の装置である。
【００１５】
請求項１０の考案は、該霧化噴き洗い装置に外への排気量を調整できる減圧調節弁が設けられることを特徴とする、請求項１か２に記載の噴霧鼻洗い器の装置である。
【００１６】
請求項１１の考案は、該排気管と噴霧ヘッドとの間に、更に外への排気量を調整できる減圧調節弁が設けられることを特徴とする、請求項５に記載の噴霧鼻洗い器の装置である。
【考案を実施するための最良の形態】
【００１７】
図２乃至４のように、本考案は、主としてメイン容器１と霧化噴き洗い装置２及び液回収容器３が備えられ、メイン容器１は、内部に鼻洗い液５を貯蔵する液貯蔵空間１１が設けられ、霧化噴き洗い装置２は、噴霧上座２１と液体吸引管２２、排気管２３、噴霧ヘッド２４及び噴霧ヘッドカバー２５からなり、該斜めになる噴霧上座２１は、該メイン容器１の液貯蔵空間１１の開口上に嵌設され、排気管２３と噴霧ヘッドカバー２５は、該斜めになる噴霧上座２１（メイン容器１に面する液貯蔵空間１１）の外側に結合され、該噴霧ヘッドカバー２５は、一端にもう一端の排気管２３に連通される噴霧ヘッド実装空間２５１が設けられ、液体吸引管２２は、一端が液貯蔵空間１１の鼻洗い液５内に位置し、また、斜めになる噴霧上座２１を通して、もう一端が噴霧ヘッドカバー２５の噴霧ヘッド実装空間２５１の中段付近に連通され、また、該噴霧ヘッドカバー２５と排気管２３との間に、外排気量を調節できる減圧調節弁孔２６が設けられ、噴霧ヘッド２４の中央に噴霧通気槽２４１が貫設され、また、その中段の外周縁に複数の該噴霧通気槽２４１に連通する液体浸透孔２４４が設けられ、また、該複数の液体浸透孔２４４の前後両側に、それぞれ第１の気密環状槽２４２、第２の気密環状槽２４３が設けられ、また、該第１の気密環状槽２４２と第２の気密環状槽２４３に、それぞれＯ型気密リング２４５、２４６が収納され、これにより、該噴霧ヘッド２４は、その一端の局部が該噴霧ヘッドカバー２５の噴霧ヘッド実装空間２５１内まで延ばし、また、Ｏ型気密リング２４５、２４６により液体吸引管２２を抵当して、噴霧ヘッド実装空間２５１の両側に入ることを防止し、そのため、該液体吸引管２２が液体浸透孔２４４を介して噴霧通気槽２４１と連通するようになり、また、該噴霧ヘッドカバー２５に組み立てられた噴霧ヘッド２４は、噴霧上座２１の基準面（水平面）に沿って上へ２０〜３０度の仰角なる。
【００１８】
液回収容器３は、該メイン容器１の付近（メイン容器１と一体成型されてもよく、メイン容器１の外周に後付けられても良い）に設けられ、その上側に開口３２が設けられ、その外周縁に少なくとも一つの立体凹み部３１が設けられ、該立体凹み部３１は人体の顔部の上顎部位にピッタリ貼り付く立体化の人間工学形状である。
【００１９】
図５と図５Ａを参照しながら、使用する時、該液回収容器３の立体凹み部３１を緊密にユーザ−の上顎部位に抵当し、該液回収容器３の上側にある開口３２が、丁度鼻穴の下方と口の上方との間に位置するようになり、これにより効率的に汚水を回収でき、また、該噴霧ヘッド２４が、噴霧上座２１の基準面（水平面）に沿って上へ２０〜３０度の仰角で斜めになるため、霧化された鼻洗い液５を鼻腔内へ吹き込む時の不適を有効に解消でき、また、該鼻腔を清浄した汚水が、鼻穴の下方において液回収容器３によって回収され、操作が簡単で有効且つ確実に鼻を清浄した汚水を回収でき、使用上の便利性と衛生性が向上される効果が得られる。
【図面の簡単な説明】
【００２０】
【図１】従来の噴霧鼻洗い器の構造概念図
【図２】本考案の構造分解図
【図３】本考案の全体組立ての外観図
【図４】本考案の組立ての断面図
【図５】本考案の使用状態の概念図
【図５Ａ】第５図の噴霧ヘッドカバーの内部の局部拡大の断面図
【符号の説明】
【００２１】
１        メイン容器
１０      メイン容器
１１      液貯蔵空間
２        霧化噴き洗い装置
２０      霧化噴き洗い装置
２０１    噴霧孔
２１      噴霧上座
２２      液体吸引管
２３      排気管
２４      噴霧ヘッド
２４１    噴霧通気槽
２４２    気密環状槽
２４３    気密環状槽
２４４    液体浸透孔
２４５    Ｏ型気密リング
２４６    Ｏ型気密リング
２５      噴霧ヘッドカバー
２５１    噴霧ヘッド実装空間
２６     
減圧調節弁
３        液回収容器
３１     
立体凹み部
３２      液回収容器開口
４       
外容器
４１      上スペーサー
４２      液回収滲漏孔
５       
鼻洗い液
【図１】
0003139247.tif 000003
【図２】
0003139247.tif 000004
【図３】
0003139247.tif 000005
【図４】
0003139247.tif 000006
【図５】
0003139247.tif 000007
【図５Ａ】
0003139247.tif 000008